(57)【要約】【課題】法面等の裸地に非面的に生育基盤を吹付造成する際にかかる作業時間、経費を軽減するとともに、土砂等の崩落を防止し安全上及び防災上の問題がないようにする。【解決手段】裸地部１２に相当するする部分に少なくとも植物種子の根系が貫通可能なシート又はマット体１４を設置した後、基盤造成部１３に生育基盤１６の吹付造成を行い、この際に生育基盤１６を裸地部１２に設置したシート又はマット体１４の端部にラップ部１７を形成するように吹付造成する。シートまたはマット体１４の底面部は目の密な網状体又は不織布であり、表面部が目の粗い網状体である。また、生育基盤には繊維材が混合されているものを用いる。【選択図】      図１
2004360245.tif 000002
【特許請求の範囲】
【請求項１】
法面等の裸地に非面的に生育基盤を吹付け造成することにより、裸地部と基盤造成部とを交互に形成する緑化工法において、前記裸地部に相当する部分に少なくとも植物種子の根系が貫通可能なシート又はマット体を設置した後、前記基盤造成部に生育基盤の吹付け造成を行い、この際に前記裸地部に設置した前記シート又はマット体の端部にラップ部を形成するように前記生育基盤を吹付け造成することを特徴とする緑化工法。
【請求項２】
前記シート又はマット体の底面部が目の密な網状体又は不織布であることを特徴とする請求項１に記載の緑化工法。
【請求項３】
前記シート又はマット体の表面部が目の粗い網状体であることを特徴とする請求項１又は２に記載の緑化工法。
【請求項４】
前記生育基盤に繊維材が混合されていることを特徴とする請求項１乃至請求項３のいずれかに記載の緑化工法。
【発明の詳細な説明】
【０００１】
【発明が属する技術分野】
本発明は、法面等の裸地に非面的に生育基盤を吹付け造成する緑化工法に関する。
【０００２】
【従来の技術】
従来、法面等の裸地に非面的な生育基盤を造成する際に用いられる緑化工法として、例えば、特許文献１、特許文献２、又は特許文献３に記載された工法が知られている。ここでの非面的造成とは、施行対象面に対する全面的な造成ではなく所定の区画パターンに従った部分的な造成を行うことを意味する。
【０００３】
特許文献１の工法では、生育基盤材と種子とを混合した植生基材を裸地に帯状に配置して生育基盤を造成している。また、特願平１１―３５２７７３号明細書では、生育基盤が一種類又は二種類以上のユニットによる連続パターンとなるように吹付けを行っている。
【０００４】
さらに、特願平１１−１６７６３０号明細書では、種子を混合した生育基盤を非面的に造成した後、残る裸地に対して種子を含まない生育基盤を造成している。
【０００５】
上述の特許文献１、特願平１１―３５２７７３号明細書、特願平１１−１６７６３０号明細書に記載された工法を実施する際には、例えば、菱形金網又は樹脂ネット等のネットを予め裸地全面に張り付けた後、水糸等の紐（ロープ）又はカラースプレー等を用いて、生育基盤を造成する箇所を位置出しした上で、生育基盤の造成作業が行われる。
【０００６】
ところで上述の特許文献１、特願平１１―３５２７７３号明細書、特願平１１−１６７６３０号明細書に記載された工法では、一般に、大面積にわたって生育基盤を造成することが多く、このため、上述のように、全面にネットを敷設した後、吹付箇所等の位置出し作業を行うと、不可避的に多大な労力と時間が必要となってしまう。特に急勾配の法面において生育基盤の造成を行う際は、作業員がロープにぶら下がった状態で作業を行わなければならず、位置出し作業を行うには、さらに長時間を要してしまうことも多い。
【０００７】
また一般的な法面緑化工法においては、ネットとして、線径２ｍｍ、網目５０ｍｍ×５０ｍｍの菱形金網が用いられるが、金網等の網目から小石や土砂が崩落するなどの問題があり、金網張工を法面等の裸地に非面的に生育基盤を造成する工法に適用した場合には、裸地部の地山の侵食防止と小石や土砂等の崩落をいかに防止するかということが問題となっていた。
【０００８】
上述のような問題点を解決するため、例えば、特許文献２に記載された工法及び特許文献３に記載された工法がある。
【０００９】
特許文献２では、生育基盤を吹付造成する部分と裸地として残す部分とを色又はネットの構造によって区分して、生育基盤を非面的に吹き付ける際の位置出しを容易にしている。さらに、特許文献２では周辺から飛来する種子の法面等の傾斜地への定着を促すために基盤造成部と裸地部との境界部に設置する柵状物によっても基盤造成部と裸地部を区分することができる。
【００１０】
一方、特許文献３では、湛水面裸地において、硬質基盤と軟質基盤とを交互に配置する際、金網からなる隔絶部を有する構造の金網型枠を用いている。
【００１１】
ところで特許文献２の柵状物及び特許文献３の金網型枠を用いた際には、裸地表面に凹凸があると、金網張工に用いられる型枠を設置することが難しく、あえて設置するには、型枠を細かく加工する必要があり、この結果、施工に時間がかかるばかりでなく経費が高くなってしまう等の問題がある。
【００１２】
上述のような問題を解決するため、例えば、特許文献４に記載された工法及び特許文献５に記載された工法がある。
【００１３】
特許文献４では、基盤造成部と裸地部との境界に緑化基礎工用型枠を設置することにより、基盤造成部と裸地部分とを区画する境界を明確にして位置出しすることができ、生育基盤の端部を角立てるように仕上げ、且つ周辺から飛散してくる種子等を効率よく捕捉することができる。
【００１４】
さらに、特許文献５は、施工対象地の表面に凹凸がある場合でも、基盤造成部と裸地として残る裸地部とを仕切る仕切り材に、可撓性を有する仕切り材を使用することにより施工対象地を容易に仕切り、基盤造成部分と裸地部分とを区画する境界を明確にするようにすることができる。
【００１５】
【特許文献１】
特許第２８８６５１４号公報
【特許文献２】
特開２００１−２２０７５０号公報
【特許文献３】
特許第２９７４９６１号公報
【特許文献４】
特開２００２−３３２６４０号公報
【特許文献５】
特開２００２−３３２６４１号公報
【特許文献６】
特許第３２４５３０３号公報
【００１６】
【発明が解決しようとする課題】
一般に、法面等の傾斜地を緑化する際には、法面全面に金網等のネットを施設する緑化基礎工が採用されており、特許文献４においては、法面全面に金網等のネットを施設した後、基盤造成部と裸地部との境界に緑化基礎工用型枠を設置するという作業が必要となる。
【００１７】
また特許文献５においては、法面全面に金網等のネットを施設した後、非面的に生育基盤を造成する基盤造成部と裸地部との境界部に合致するようにして、可撓性を有する仕切り材を設置するという作業が必要となる。
【００１８】
このように特許文献４及び特許文献５においては、２段階の作業が必要となり施工にかかる時間の増大と、経費が高くなってしまうという問題がある。
【００１９】
本発明の目的は、法面等の裸地に非面的に生育基盤を吹付け造成することにより、裸地と基盤造成部が交互に形成されるようにする緑化工法において、生育基盤造成の際の位置出しを容易にし、経費を軽減することができ、また施工時間を短縮し、さらには裸地部の保護に関する安全及び防災にも対応することができる緑化工法を提供することにある。
【００２０】
【課題を解決するための手段】
上記の目的を達成するため、本発明は以下の構成を提供する。請求項１に係る発明は、法面等の裸地に非面的に生育基盤を吹付造成することにより、裸地部と基盤造成部が交互に形成されるようにする緑化工法において、前記裸地部に相当する部分に少なくとも種子植物の根系が貫通可能なシート又はネット体を設置した後、前記基盤造成部に生育基盤の吹付造成を行い、この際に前記裸地部に設置した前記シート又はマット体の端部にラップ部を形成するように前記生育基盤を吹付造成する。
【００２１】
請求項２に係る発明では、請求項１において底面部が目の密な網状体又は不織布であるシート又はマット体を設置する。
【００２２】
請求項３に係る発明では、請求項１又は請求項２において表面部が目の粗い網状体であるシート又はマット体を設置する。
【００２３】
請求項４に係る発明では、請求項１乃至請求項３のいずれかにおいて生育基盤に繊維材を混合し吹付造成する。
【００２４】
【発明の実施の形態】
以下、図面を参照して本発明の実施の形態に基づいて説明する。
【００２５】
図１を参照して、ここでは、法面１１等の裸地に吹付機を用いて非面的に生育基盤を造成する例について説明する。法面１１等の裸地に非面的に生育基盤を吹付造成するために、裸地部１２と基盤造成部１３が交互に形成されるようにする緑化工法において、裸地部１２に相当する部分に少なくとも植物種子の根系が貫通可能なシート又はマット体１４を設置した後、基盤造成部１３に生育基盤１６の吹付造成を行い、この際に裸地部１２に設置したシート又はマット体１４の端部にラップ部１７を形成するように生育基盤１６を吹付造成する。ラップ部１７とは、裸地部１２に設置したシート又はマット体１４と基盤造成部１３に吹付けた生育基盤１６が重なる部分をいう。
【００２６】
シート又はマット体１４を設置するための固定器具１５は、金網張工の設置等の際に用いられるアンカーピンや止め串など、既往の資材を用いることができる。また、生育基盤１６の吹付造成も、吹付機を用いて植生基材を法面等に吹付ける植生基材吹付工等の既存工法を用いることができる。本発明は、シート又はマット体１４を法面上に設置可能であり、さらに裸地部１２に対して所定の厚さの生育基盤を吹付造成できる工法であれば特に限定することなく用いることができる。
【００２７】
本発明においては、シート又はマット体１４を設置した後に生育基盤１６を造成する際に、シート又はマット体１４の端部に生育基盤１６がラップ部１７を形成するように吹付造成する。シート又はマット体１４の端部に生育基盤１６とのラップ部１７を形成させることにより、緑化基礎工として位置づけられるシート又はマット体１４が設置されていない裸地に造成した生育基盤１６の地山との接着性の向上と、造成した基盤造成部１３と裸地部１２との境界からの風の侵入や乾燥による生育基盤１６の剥離やクラックの発生を防止することができる。このようにシート又はマット体１４の端部に生育基盤１６とのラップ部１７を形成するように吹付造成することは、本工法の重要な特徴となっている。
【００２８】
シート又はマット体１４の素材等については、法面に生育基盤１６を非面的に造成する工法の特性を十分に発揮させることから考えて、裸地部１２における植物の自然侵入による植生回復を促進させるために、周辺から飛散してきた種子の発芽生育に支障を及ぼすことのない資材であれば、特にその材質等は限定されるものではない。本発明が自然の回復を目的とする緑化工に使用することを考えると、将来的には完全に分解し、化学物質が自然界に残留しない素材を用いることが望ましい。
【００２９】
図２は、図１のシート又はマット体１４の一例における断面図である。ここで、図１のシート又はマット体１４を２層構造とした場合、法面１１と接する下層を底面部、上層を表面部と称することとする。図２のシート又はマット体１４では、法面１１と接する底面部の構造を、目の密な網状体又は不織布２１としている。これにより、裸地部の侵食及び裸地部からの小石や土砂の崩落を防止することができる。加えて、ここで用いる目の密な網状体又は不織布２１は、裸地部１２に設置したシート又はマット体１４上に飛来して定着した種子の発芽生育に影響を与えないもの、つまり根系の貫通が可能なものであればよい。その素材は特に限定されないが、各種化学繊維（生分解性繊維も含む）や天然繊維、金属繊維などを用いることができる。
【００３０】
また図２のシート又はマット体１４では、表面部の構造を、目の粗い網状体２２としている。本発明の適用に当たっては、底面部を構成する目の密な網状体又は不織布２１の単層のみから構成されるシート又はマット体１４を用いることも勿論可能であるが、シート又はマット体１４と生育基盤１６とが形成するラップ部１７の接着性の向上に加え、周辺から飛散してくる種子のシート又はマット体１４表面への定着性を向上させるために、目の密な網状体又は不織布２１の上面に目の粗い網状体２２を重ねたような２層構造のシート又はマット体１４を用いるのが望ましい。特に底面部を不織布とした場合には、表面部の構造を目の粗い網状体２２とすることにより、生育基盤１６との接着性と種子の捕捉効果をより高めることができる。具体的には、表面部を金網張工や樹脂ネット張工のように目の粗い網状体すなわちネット状とするのが好適である。
【００３１】
さらに好適には、図３に示すようにシート又はマット体１４が法面１１と接する底面部の構造を、目の密な網状体又は不織布３１とするとともに、その表面部を金網張工や樹脂ネット張工のような平面的なネットではなく、立体構造の網状体３２とすることが好ましい。立体的構造の網状体３２としては、コイル状に加工されたネットや、網目が立体的（例えば蜂の巣状等）に立ち上がった形状となるように加工されたネットなどがあり、特にその素材や形状は限定されるものではない。このように、目の密な網状体又は不織布３１の表面部を立体的構造の網状体３２にすることにより、周辺から飛散してくる種子の捕捉効率をより向上させることができる。
【００３２】
これらのシート又はマット体１４の製品寸法は特に限定されるものではないが、裸地部１２の幅に合わせて製造されたものを用いるのが作業効率から考えても好ましい。また、法面上で作業員がロープにぶら下がった状態で設置することを考慮すると、作業員が法面上で横移動可能な長さの網状体をロール状にしたものが使いやすい。網状体の幅は１ｍ乃至２ｍ程度が取り扱い上からも好適である。また、網状体の長さは法面の形状にもよるが、３ｍ乃至１０ｍ程度が好ましく、平均的には７．５ｍ前後の長さが好適である。
【００３３】
本発明では、従来の方法のように基盤造成部１３に金網張工等の緑化基礎工を併用しない。そのため、基盤造成部１３に吹付造成する生育基盤１６は、緑化基礎工を併用する場合に用いる生育基盤と比較して耐久性や強度、また法面１１やシート又はマット体１４との接着性の大きいものであることが望ましい。そのため吹付造成する生育基盤１６には繊維材を混合することによってこれら耐久性や強度及び接着性を向上させたものを用いることにより、基盤の剥離や乾燥によるクラック発生に伴う基盤の崩落等を防止することができる。
【００３４】
繊維材としては、生育基盤１６の強度を高めることができるものであればその材質は問わない。一般的には、各種ファイバ、短繊維材、長繊維材などが用いられる。具体的な生育基盤材としては、特殊な給糸装置等の設備を必要としない短繊維を混合した生育基盤（例えば特許文献６に記載されたような生育基盤）を造成するのが好ましい。
【００３５】
【発明の効果】
以上説明したように本発明では、法面に非面的に生育基盤を造成する工法において、裸地部にシート又はマット体を設置した後、基盤造成部に生育基盤の吹付造成をシート又はマット体の端部にラップさせるように行うため、緑化基礎工にかかる経費を金網張工や樹脂ネット張工のような法面全体に網状体を設置する従来の緑化工法と同等もしくはそれ以下に軽減することができるという効果がある。
【００３６】
さらに、シート又はマット体の設置作業によって位置出し作業が完了するため、緑化基礎工設置にかかる時間は従来の緑化工法と同程度かそれ以下に短縮することができるという効果がある。
【００３７】
また、緑化基礎工を併用しない基盤造成部に造成する生育基盤の侵食や剥離を防止することができるという効果がある。
【００３８】
さらに生育基盤に繊維材が含まれているものを使用すればこの効果はさらに向上する。
【００３９】
さらに、シート又はマット体の底面部を目の密な網状体又は不織布とすれば、裸地部の侵食及び裸地部からの小石や土砂等の崩落を防止する効果がある。
【００４０】
加えて、シート又はマット体の表面部として目の粗い網状体であるものを使用すれば、裸地部への周辺からの飛散種子の定着を向上させることができる効果がある。
【００４１】
さらに、シート又はマット体の表面部として網目の粗い網状体であるものを使用するとともに、その表面部を立体構造の網状体とすることにより、周辺から飛散してくる種子の捕捉効率をより向上させる効果がある。
【００４２】
本発明は、岩盤法面などのように比較的安定した法面から、風化が進行した不安定化法面まで幅広く適用可能であるが、特に土砂法面や風化した法面、あるいは近い将来風化が進行する可能性のある法面など、裸地部分が不安定化しやすい法面において効果がある。
【図面の簡単な説明】
【図１】本発明による緑化基礎工法の一例を示す断面図である。
【図２】図１におけるシート又はマット体の底面部が網目の密な網状対又は不織布であり表面部が網目の粗い網状体である構造を示す断面図である。
【図３】図２においてシート又はマット体の表面部が立体構造の網状体である構造を示す断面図である。
【符号の説明】
１１  法面
１２  裸地部
１３  基盤造成部
１４  シート又はマット体
１５  固定器具
１６  生育基盤
１７  ラップ部
２１  目の密な網状体又は不織布
２２  目の粗い網状体
３１  目の密な網状体又は不織布
３２  立体構造の網状体
【図１】
2004360245.tif 000003
【図２】
2004360245.tif 000004
【図３】
2004360245.tif 000005